(57)【要約】【課題】  本発明は、マスクと顔面との隙間から呼気が上方向に漏れないようにして、メガネが曇るのを防止できる機能を有するメガネの曇り防止マスクを提供することである。【解決手段】  従来のマスク本体の上縁部から上方向に面積を拡張して新しい上縁部２Ａ及び両側縁部２Ｂを設けた四角形のマスク本体２と耳掛け部３で構成した新しい形状のマスク１であって、切れ目のない拡張した部分を顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止することができる機能を有するメガネの曇り防止マスク。【選択図】図１
2013075130.tif 000002
【特許請求の範囲】
【請求項１】
従来のマスク本体の上縁部から上方向に面積を拡張して新しい上縁部及び両側縁部を設けたマスク本体と耳掛け部で構成した新しい形状のマスクであって、拡張した部分を顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止することができる機能を有することを特徴とするメガネの曇り防止マスク。
【請求項２】
請求項１の拡張した部分の上部に形状保持部材を備えるメガネの曇り防止マスク。
【請求項３】
請求項１の拡張した部分の裏面側に呼気が通りにくい塗布被膜やフィルム皮膜を作るメガネの曇り防止マスク。
【請求項４】
請求項１の拡張した部分の上部に形状保持部材を備えるとともに、拡張した部分の裏面側に呼気が通りにくい塗布被膜やフィルム皮膜を作るメガネの曇り防止マスク。
【請求項５】
請求項１，２，３，４の拡張した部分の上縁部の中央または中央付近から切れ目を入れるメガネの曇り防止マスク。
【発明の詳細な説明】
【技術分野】
【０００１】  本発明は、メガネを掛けてマスクを装着した際、呼気でメガネが曇るのを防止できるメガネの曇り防止マスクに関する。
【背景技術】
【０００２】  従来のメガネの曇り防止マスクに関するものは、次に列挙するような特徴を有した構造や形状で構成されている。
（１）マスク本体の形状を部分的に変形させ、その状態を保持する形状保持部材を備えたマスク（例えば、特許文献１参照）。【０００３】（２）マスク本体であるシートに密閉性を向上させるための延出部を設けたマスク（例えば、特許文献２参照）。【０００４】（３）マスク本体に塗布被膜やフィルム被膜を作ったマスク（例えば、特許文献３参照）。【０００５】（４）マスク本体の内部に非通気性柔軟性部材を備えたマスク（例えば、特許文献４参照）。【０００６】（５）マスク本体の外表面側に通気性を有さず、適度の弾性及び可撓性を有する素材で作製した薄膜片を備えたマスク（例えば、特許文献５参照）。【０００７】（６）マスク本体の内側に薄膜状で空気を通さないか又は通しがたい素材からなる薄膜片を備えたマスク（例えば、特許文献６参照）。【０００８】  しかしながら、上記のように構成された従来のメガネの曇り防止マスクに関するものは、どうしてもマスクと顔面との隙間から呼気が上方向に漏れてしまうのでメガネが曇るのを防止することができないという欠点があった。
【先行技術文献】
【特許文献】
【０００９】
【特許文献１】特開２００６−３３３９７２号公報
【００１０】
【特許文献２】特開２００７−１８５３０１号公報
【００１１】
【特許文献３】特開２００８−２３２９８号公報
【００１２】
【特許文献４】特開２００８−２２９２１７号公報
【００１３】
【特許文献５】特開２００９−６６３８２号公報
【００１４】
【特許文献６】特開２００７−６１５８５号公報
【発明の概要】
【発明が解決しようとする課題】
【００１５】  本発明は、以上のような従来の欠点に鑑み、従来のマスクとは違った形状で構成するマスクを作製することによって、メガネを掛けてマスクを装着した際、マスクと顔面との隙間から呼気が上方向に漏れないようにしてメガネが曇るのを防止することができる機能を有するメガネの曇り防止マスクを提供することを目的としている。
【課題を解決するための手段】
【００１６】  上記目的を達成するために、本発明は、従来のマスク本体の上縁部から上方向に面積を拡張して新しい上縁部及び両側縁部を設けたマスク本体と耳掛け部で構成した新しい形状のマスクであって、拡張した部分を顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止することができる機能を有するメガネの曇り防止マスク。
【発明の効果】
【００１７】  以上の説明から明らかなように、本発明にあっては、次に列挙する効果が得られる。
（１）拡張した部分を顔面側に折り曲げて装着するという簡易な取扱いでマスクと顔面との隙間を狭くして、呼気が上方向に漏れないようにすることができる。【００１８】（２）上記（１）の取り扱いにより、折り曲げた部分が弾性で顔面側に接しようとして顔面との隙間がさらに狭くなり、呼気が上方向に漏れないようにすることができる。【００１９】（３）拡張した部分を顔面側に折り曲げて略逆Ｖ字形の空間を作ることで、呼気が空間に入り上方向に漏れないようにすることができる。【００２０】（４）従来のマスク本体の面積を拡張して作製できるので、従来のマスクの製造方法や調達材料等を大幅に変更せずに大量生産が可能なことから、製品コストに与える影響を最小限にすることができる。
【図面の簡単な説明】
【００２１】
【図１】  本発明の実施例１のプリーツ型マスクの背面図である。
【図２】  本発明の実施例１のプリーツ型マスクの斜視図である。
【図３】  従来のプリーツ型マスクの背面図である。
【図４】  本発明の実施例２の立体型マスクの背面図である。
【図５】  本発明の実施例２の立体型マスクの斜視図である。
【図６】  従来の立体型マスクの背面図である。
【発明を実施するための形態】
【００２２】  以下、本発明の実施の形態を図に基づいて説明する。
【実施例１】
【００２３】  図１は、本発明の実施例１のプリーツ型マスクの背面図である。【００２４】  図２は、本発明の実施例１のプリーツ型マスクの斜視図である。【００２５】  図３は、従来のプリーツ型マスクの背面図である。【００２６】  図１のマスク１は、新しい形状のマスク本体２、耳掛け部３、すでに有していた形状保持部材４及び横方向の折り目５で構成している。【００２７】  図３の従来のマスク１０は、マスク本体２０、耳掛け部３０、形状保持部材４０及び横方向の折り目５０で構成されている。【００２８】  図１のマスク１は、図３の従来のマスク１０のマスク本体２０を変更したものである。【００２９】  変更方法は、図１で説明すると、従来のマスク本体の上縁部が位置した部位２ａから上方向に面積を拡張して新しい上縁部２Ａ及び両側縁部２Ｂを設けた新しい形状のマスク本体２にすることである。【００３０】  図１の新しい形状のマスク本体２において、拡張した部分は上縁部２Ａと両側縁部２Ｂ及び従来のマスク本体の上縁部が位置した部位２ａで囲われた範囲である。【００３１】  上記の拡張した部分の具体的な数値は、上縁部２Ａ及び従来のマスク本体の上縁部が位置した部位２ａの長さを１２．０ｃｍ〜１７．０ｃｍとし、両側縁部２Ｂの長さを１．７ｃｍ〜３．４ｃｍとした時の面積は、２０．４ｃｍ２〜５７．８ｃｍ２になる。なお、好ましい両側縁部２Ｂの長さは、２．５ｃｍであり、その面積は３０．０ｃｍ２〜４２．５ｃｍ２である。【００３２】  図２は、新しい形状で構成しているマスク１を従来のマスク本体の上縁部が位置した部位２ａで顔面側に折り曲げたものである。【００３３】  上記のマスク１を装着することにより、折り曲げた部分が顔面に接してマスクとの隙間を狭くして呼気が上方向に漏れないようにするとともに、折り曲げて略逆Ｖ字形の空間を作ることで、呼気が空間に入り上方向に漏れないようにしてメガネが曇るのを防止できる機能を有するメガネの曇り防止マスク。
【実施例２】
【００３４】  図４は、本発明の実施例２の立体型マスクの背面図である。【００３５】  図５は、本発明の実施例２の立体型マスクの斜視図である。【００３６】  図６は、従来の立体型マスクの背面図である。【００３７】  図４のマスク１００は、新しい形状のマスク本体２００と耳掛け部３００とで構成している。【００３８】  図６の従来のマスク１１０は、マスク本体２１０と耳掛け部３１０とで構成されている。【００３９】  図４のマスク１００は、図６の従来のマスク１１０を変更したものである。【００４０】  変更方法は、図４で説明すると、従来のマスク本体の上縁部が位置した部位２００ａから上方向に面積を拡張して新しい上縁部２００Ａ及び側縁部２００Ｂを設けた新しい形状のマスク本体２００にすることである。尚、上縁部２００Ａと側縁部２００Ｂとは、滑らかに連結している形状である。【００４１】  図４の新しい形状のマスク本体２００において、拡張した部分は、上縁部２００Ａと両側縁部２００Ｂ及び従来のマスク本体の上縁部が位置した部位２００ａで囲われた範囲である。【００４２】  上記の拡張した部分の具体的な数値は、上縁部２００Ａ及び従来のマスク本体の上縁部が位置した部位２００ａの長さを１２．０ｃｍ〜１７．０ｃｍとし、両側縁部２００Ｂの長さを１．７ｃｍ〜３．４ｃｍとする。なお、好ましい両側縁部２００Ｂの長さは、２．５ｃｍである。【００４３】  図５は、新しい形状で構成しているマスク１００を従来のマスク本体の上縁部が位置した部位２００ａで顔面側に折り曲げたものである。【００４４】  上記のマスク１００を装着することにより、折り曲げた部分が顔面に接してマスクとの隙間を狭くして呼気が上方向に漏れないようにするとともに、折り曲げて略逆Ｖ字形の空間を作ることで、呼気が空間に入り上方向に漏れないようにしてメガネが曇るのを防止できる機能を有するメガネの曇り防止マスク。
【産業上の利用可能性】
【００４５】  本発明は、メガネの曇り防止マスクを製造する産業で利用される。
【符号の説明】
【００４６】  １、１０、１００、１１０  マスク
２、２０、２００、２１０  マスク本体
３、３０、３００、３１０  耳掛け部
２Ａ、２０Ａ、２００Ａ、２１０Ａ  上縁部
２Ｂ、２００Ｂ  側縁部
２ａ、２００ａ  従来のマスクの上縁部が位置した部位
【図１】
2013075130.tif 000003
【図２】
2013075130.tif 000004
【図３】
2013075130.tif 000005
【図４】
2013075130.tif 000006
【図５】
2013075130.tif 000007
【図６】
2013075130.tif 000008
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
従来のマスク本体の上縁部から上方向に面積を拡張して新しい上縁部及び両側縁部を設けた四角形のマスク本体と耳掛け部で構成した新しい形状のマスクであって、切れ目のない拡張した部分を顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止することができる機能を有することを特徴とするメガネの曇り防止マスク。
【手続補正２】
【補正対象書類名】明細書
【補正対象項目名】全文
【補正方法】変更
【補正の内容】
【発明の詳細な説明】
【技術分野】
【０００１】  本発明は、メガネを掛けてマスクを装着した際、呼気でメガネが曇るのを防止できるメガネの曇り防止マスクに関する。
【背景技術】
【０００２】  従来のメガネの曇り防止マスクに関するものは、次に列挙するような特徴を有した構造や形状で構成されている。
（１）マスク本体の形状を部分的に変形させ、その状態を保持する形状保持部材を備えたマスク（例えば、特許文献１参照）。【０００３】（２）マスク本体に塗布被膜やフィルム被膜を作ったマスク（例えば、特許文献２参照）。【０００４】（３）マスク本体の内部に非通気性柔軟性部材を備えたマスク（例えば、特許文献３参照）。【０００５】（４）マスク本体の外表面側に通気性を有さず、適度の弾性及び可撓性を有する素材で作製した薄膜片を備えたマスク（例えば、特許文献４参照）。【０００６】（５）マスク本体の内側に薄膜状で空気を通さないか又は通しがたい素材からなる薄膜片を備えたマスク（例えば、特許文献５参照）。【０００７】  しかしながら、上記のように構成された従来のメガネの曇り防止マスクに関するものは、どうしてもマスクと顔面との隙間から呼気が上方向に漏れてしまうのでメガネが曇るのを防止することができないという欠点があった。
【先行技術文献】
【特許文献】
【０００８】
【特許文献１】特開２００６−３３３９７２号公報
【０００９】
【特許文献２】特開２００８−２３２９８号公報
【００１０】
【特許文献３】特開２００８−２２９２１７号公報
【００１１】
【特許文献４】特開２００９−６６３８２号公報
【００１２】
【特許文献５】特開２００７−６１５８５号公報
【発明の概要】
【発明が解決しようとする課題】
【００１３】  本発明は、以上のような従来の欠点に鑑み、従来のマスクとは違った形状で構成するマスクを作製することによって、メガネを掛けてマスクを装着した際、マスクと顔面との隙間から呼気が上方向に漏れないようにしてメガネが曇るのを防止することができる機能を有するメガネの曇り防止マスクを提供することを目的としている。
【課題を解決するための手段】
【００１４】  上記目的を達成するために、本発明は、従来のマスク本体の上縁部から上方向に面積を拡張して新しい上縁部及び両側縁部を設けた四角形のマスク本体と耳掛け部で構成した新しい形状のマスクであって、切れ目のない拡張した部分を顔面側に折り曲げて装着することにより、マスクと顔面との隙間を狭くして呼気が上方向に漏れないようにするとともに、折り曲げて略逆Ｖ字形の空間を作ることで、呼気が空間に入り上方向に漏れないようにしてメガネが曇るのを防止することができる機能を有するメガネの曇り防止マスク。
【発明の効果】
【００１５】  以上の説明から明らかなように、本発明にあっては、次に列挙する効果が得られる。
（１）切れ目のない拡張した部分を顔面側に折り曲げて装着するという簡易な取扱いでマスクと顔面との隙間を狭くして、呼気が上方向に漏れないようにすることができる。【００１６】（２）上記（１）の取り扱いにより、折り曲げた部分が弾性で顔面側に接しようとして顔面との隙間がさらに狭くなり、呼気が上方向に漏れないようにすることができる。【００１７】（３）切れ目のない拡張した部分を顔面側に折り曲げて略逆Ｖ字形の空間を作ることで、呼気が空間に入り上方向に漏れないようにすることができる。【００１８】（４）従来のマスク本体の面積を拡張して作製できるので、従来のマスクの製造方法や調達材料等を大幅に変更せずに大量生産が可能なことから、製品コストに与える影響を最小限にすることができる。
【図面の簡単な説明】
【００１９】
【図１】  本発明の実施例のプリーツ型マスクの背面図である。
【図２】  本発明の実施例のプリーツ型マスクの斜視図である。
【図３】  従来のプリーツ型マスクの背面図である。
【発明を実施するための形態】
【００２０】  以下、本発明の実施の形態を図に基づいて説明する。
【実施例】
【００２１】  図１は、本発明の実施例のプリーツ型マスクの背面図である。【００２２】  図２は、本発明の実施例のプリーツ型マスクの斜視図である。【００２３】  図３は、従来のプリーツ型マスクの背面図である。【００２４】  図１の新しい形状のマスク１は、四角形のマスク本体２、耳掛け部３、すでに有していた形状保持部材４及び横方向の折り目５で構成している。【００２５】  図３の従来のマスク１０は、マスク本体２０、耳掛け部３０、形状保持部材４０及び横方向の折り目５０で構成されている。【００２６】  図１の新しい形状のマスク１は、図３の従来のマスク１０のマスク本体２０を変更したものである。【００２７】  変更方法は、図１で説明すると、従来のマスク本体の上縁部が位置した部位２ａから上方向に面積を拡張して新しい上縁部２Ａ及び両側縁部２Ｂを設けた四角形のマスク本体２にすることである。【００２８】  図１の四角形のマスク本体２において、切れ目のない拡張した部分は上縁部２Ａと両側縁部２Ｂ及び従来のマスク本体の上縁部が位置した部位２ａで囲われた範囲である。【００２９】  上記の切れ目のない拡張した部分の具体的な数値は、上縁部２Ａ及び従来のマスク本体の上縁部が位置した部位２ａの長さを１２．０ｃｍ〜１７．０ｃｍとし、両側縁部２Ｂの長さを１．７ｃｍ〜３．４ｃｍとした時の面積は、２０．４ｃｍ２〜５７．８ｃｍ２になる。なお、好ましい両側縁部２Ｂの長さは、２．５ｃｍであり、その面積は３０．０ｃｍ２〜４２．５ｃｍ２である。【００３０】  図２は、新しい形状のマスク１を従来のマスク本体の上縁部が位置した部位２ａで顔面側に折り曲げたものである。【００３１】  上記の新しい形状のマスク１を装着することにより、折り曲げた部分が顔面に接してマスクとの隙間を狭くして呼気が上方向に漏れないようにするとともに、折り曲げて略逆Ｖ字形の空間を作ることで、呼気が空間に入り上方向に漏れないようにしてメガネが曇るのを防止できる機能を有するメガネの曇り防止マスク。
【産業上の利用可能性】
【００３２】  本発明は、メガネの曇り防止マスクを製造する産業で利用される。
【符号の説明】
【００３３】  １、１０  マスク
２、２０  マスク本体
３、３０  耳掛け部
２Ａ、２０Ａ  上縁部
２Ｂ  側縁部
２ａ  従来のマスクの上縁部が位置した部位
【手続補正３】
【補正対象書類名】図面
【補正対象項目名】全図
【補正方法】変更
【補正の内容】
【図１】
2013075130.tif 000009
【図２】
2013075130.tif 000010
【図３】
2013075130.tif 000011